(57)【要約】【課題】固定向けデジタル放送、及び、移動体向けデジタル放送を再生可能なデジタル放送受信装置において、好適にデジタル放送の放送コンテンツを再生する。【解決手段】チャンネルを変更したり、電子番組ガイド（ＥＰＧ：Electronic Program Guide）を表示させたりしたときなど、切り替え実施条件が成立したときに（ステップＳ３０８またはＳ３１７；Ｙｅｓ）、ユーザの注意が放送内容から逸れたと判別し、固定向けデジタル放送と移動体向けデジタル放送との出力切り替えを行う。【選択図】図３
2010206431.tif 000002
【特許請求の範囲】
【請求項１】
デジタル放送の電波を受信する受信手段と、
前記受信手段が受信する前記デジタル放送をデコードし、第１のデジタル放送データを出力する第１のデコード手段と、
前記受信手段が受信する前記デジタル放送をデコードし、第２のデジタル放送データを出力する第２のデコード手段と、
前記第１のデジタル放送データまたは前記第２のデジタル放送データに対応した映像及び音声を再生する再生手段と、
前記受信手段が受信する電波の電界強度が所定の値以上であるか否かを判別する判別手段と、
前記判別手段により前記電界強度が所定の値以上であると判別された場合、前記再生手段により前記第１のデジタル放送データに対応した映像及び音声を再生させ、また、前記判別手段により前記電界強度が所定の値未満であると判別された場合、前記再生手段により前記第２のデジタル放送データに対応した映像及び音声を再生させる再生制御手段と、
ユーザの操作を受け付ける入力手段と、
前記再生手段により前記第２のデジタル放送データに対応した映像及び音声を再生中に、前記判別手段により前記電界強度が所定の値以上であると判別された場合、所定の条件が成立したときに、前記再生手段により前記第１のデジタル放送データに対応した映像及び音声を再生させるように切り替え、また、前記再生手段により前記第１のデジタル放送データに対応した映像及び音声を再生中に、前記判別手段により前記電界強度が所定の値未満であると判別された場合、前記所定の条件が成立したときに、前記再生手段により前記第２のデジタル放送データに対応した映像及び音声を再生させるように切り替える再生切替手段と、
を備え、
前記再生切替手段が再生を切り替える前記所定の条件のうち一つは、所定の時間内に前記入力手段によりユーザの操作が受け付けられたことである
ことを特徴とするデジタル放送受信装置。
【請求項２】
前記デジタル放送の電波から番組表データと現在時刻情報とを取得し、現在時刻から特定の時間以内に新たな番組が開始するか否かを判別する番組開始判別手段をさらに備え、
前記再生切替手段が再生を切り替える前記所定の条件のうち一つは、前記番組開始判別手段により前記特定の時間以内に新たな番組が開始すると判別されたことである
ことを特徴とする請求項１に記載のデジタル放送受信装置。
【請求項３】
前記デジタル放送の電波から番組表データを取得し、前記再生手段で再生中の番組のジャンルが特定のジャンルであるか否かを判別するジャンル判別手段をさらに備え、
前記再生切替手段が再生を切り替える前記所定の条件のうち一つは、前記ジャンル判別手段により前記再生中の番組のジャンルが前記特定のジャンルであると判別されたことである
ことを特徴とする請求項１または２に記載のデジタル放送受信装置。
【請求項４】
前記再生切替手段が再生を切り替える前記所定の条件のうち一つは、前記所定の時間が経過したことである
ことを特徴とする請求項１から３のいずれか１項に記載のデジタル放送受信装置。
【請求項５】
前記第１のデコード手段と前記第２のデコード手段との温度を測定する温度測定手段をさらに備え、
前記再生切替手段が再生を切り替える前記所定の条件のうち一つは、前記温度測定手段により所定の温度が測定されたことである
ことを特徴とする請求項１から４のいずれか１項に記載のデジタル放送受信装置。
【請求項６】
前記再生切替手段は、前記再生手段により前記第１のデジタル放送データに対応した映像及び音声を再生させるように切り替えたときに、前記第２のデコード手段による前記デジタル放送のデコードを停止させ、また、前記再生手段により前記第２のデジタル放送データに対応した映像及び音声を再生させるように切り替えたときに、前記第１のデコード手段による前記デジタル放送のデコードを停止させる
ことを特徴とする請求項１から５のいずれか１項に記載のデジタル放送受信装置。
【請求項７】
前記再生切替手段は、再生を切り替えるときに、前記第１のデコード手段と前記第２のデコード手段とにおけるデコードの遅延量の差を求め、切替元のデジタル放送データのデコードが切替先のデジタル放送データより遅延している場合、切替先のデジタル放送データを遅延補正して前記再生手段により再生させる補正手段をさらに備え、
前記補正手段は、前記所定の条件が成立したときに前記遅延補正を停止する
ことを特徴とする請求項１から６のいずれか１項に記載のデジタル放送受信装置。
【請求項８】
コンピュータを、
デジタル放送の電波を受信する受信手段、
前記受信手段が受信する前記デジタル放送をデコードし、第１のデジタル放送データを出力する第１のデコード手段、
前記受信手段が受信する前記デジタル放送をデコードし、第２のデジタル放送データを出力する第２のデコード手段、
前記第１のデジタル放送データまたは前記第２のデジタル放送データに対応した映像及び音声を再生する再生手段、
前記受信手段が受信する電波の電界強度が所定の値以上であるか否かを判別する判別手段、
前記判別手段により前記電界強度が所定の値以上であると判別された場合、前記再生手段により前記第１のデジタル放送データに対応した映像及び音声を再生させ、また、前記判別手段により前記電界強度が所定の値未満であると判別された場合、前記再生手段により前記第２のデジタル放送データに対応した映像及び音声を再生させる再生制御手段、
ユーザの操作を受け付ける入力手段、
前記再生手段により前記第２のデジタル放送データに対応した映像及び音声を再生中に、前記判別手段により前記電界強度が所定の値以上であると判別された場合、所定の時間内に前記入力手段によりユーザの操作が受け付けられたときに、前記再生手段により前記第１のデジタル放送データに対応した映像及び音声を再生させるように切り替え、また、前記再生手段により前記第１のデジタル放送データに対応した映像及び音声を再生中に、前記判別手段により前記電界強度が所定の値未満であると判別された場合、前記所定の時間内に前記入力手段によりユーザの操作が受け付けられたときに、前記再生手段により前記第２のデジタル放送データに対応した映像及び音声を再生させるように切り替える再生切替手段、
として機能させることを特徴とするプログラム。
【発明の詳細な説明】
【技術分野】
【０００１】
本発明は、デジタル放送受信装置、及び、プログラムに関する。
【背景技術】
【０００２】
近年、日本では地上波デジタルテレビ放送が行われている。この地上波デジタル放送では、１チャンネル分の周波数帯域を１３のセグメントに分割し、その内１２セグメントを固定向けデジタル放送に、１セグメントを移動体向けデジタル放送に利用している。
【０００３】
１セグメントを用いる移動体向けデジタル放送（以下、移動体向けデジタル放送と呼ぶ）は、帯域が狭いため、画面の解像度がＱＶＧＡ（３２０×２４０）サイズで、フレームレートが１５ｆｐｓの低品質な動画しか伝送できない。一方、１２セグメントを用いる固定向けデジタル放送（以下、固定向けデジタル放送と呼ぶ）は、帯域が広く、画面の解像度がＨＤ（１４４０×１０８０あるいは１９２０×１０８０）サイズで、フレームレートが３０ｆｐｓの高品質な動画の伝送が可能である。
【０００４】
ところで、地上波デジタルテレビ放送では、移動体向けデジタル放送と固定向けデジタル放送で同じ番組を放映しているサイマル放送の場合でも、それぞれの放送向けにエンコード、デコードするための時間が掛かるため、完全には同期が取れておらず、それぞれのデジタル放送受信機にて受信され、出力される放送コンテンツは時間的なズレが発生する。
【０００５】
移動体でのデジタル放送受信において、極力高品質な放送コンテンツを受信するために、電波状況が良く、固定向けデジタル放送が受信できるときは、それを受信して表示・再生し、電波状況が悪くなった場合には、移動体向けデジタル放送を受信し、表示・再生をそれに切り替えるという技術が考案されている（例えば、特許文献１）。
【０００６】
特許文献１の技術では、上記移動体向けデジタル放送と固定向けデジタル放送との切り替え時、出力される放送コンテンツの時間的ズレを補正するため、その時間的ズレを測定し遅延量差分として求め、遅延量の少ない側の出力タイミングをその遅延量差分だけ遅らせている。こうすることにより、固定向けデジタル放送と移動体向けデジタル放送とを切り替えて視聴しても、映像や音の飛びや戻りをなくしたスムーズな切り替えができるようにしている。
【先行技術文献】
【特許文献】
【０００７】
【特許文献１】特開２００４−１６６１７３号公報
【発明の概要】
【発明が解決しようとする課題】
【０００８】
しかしながら、固定向けデジタル放送と移動体向けデジタル放送とのスムーズな切り替えのために、固定向けデジタル放送デコーダ部と移動体向けデジタル放送デコーダ部との両方の電源を投入し続けると、放送コンテンツの出力に利用していない方のデコーダ部に供給される電力が無駄になり、余分な熱を発生させる原因にもなる。また、スムーズな切り替えのためにデコーダ部からの出力に遅延を入れると、その分必要なメモリ及び電力が増えてしまう。
【０００９】
本発明は、上記実情を鑑みてなされたもので、好適にデジタル放送の放送コンテンツを再生するデジタル放送受信装置及び、プログラムを提供することを目的とする。
【課題を解決するための手段】
【００１０】
上記目的を達成するため、本発明の第１の観点に係るデジタル放送受信装置は、
デジタル放送の電波を受信する受信手段と、
前記受信手段が受信する前記デジタル放送をデコードし、第１のデジタル放送データを出力する第１のデコード手段と、
前記受信手段が受信する前記デジタル放送をデコードし、第２のデジタル放送データを出力する第２のデコード手段と、
前記第１のデジタル放送データまたは前記第２のデジタル放送データに対応した映像及び音声を再生する再生手段と、
前記受信手段が受信する電波の電界強度が所定の値以上であるか否かを判別する判別手段と、
前記判別手段により前記電界強度が所定の値以上であると判別された場合、前記再生手段により前記第１のデジタル放送データに対応した映像及び音声を再生させ、また、前記判別手段により前記電界強度が所定の値未満であると判別された場合、前記再生手段により前記第２のデジタル放送データに対応した映像及び音声を再生させる再生制御手段と、
ユーザの操作を受け付ける入力手段と、
前記再生手段により前記第２のデジタル放送データに対応した映像及び音声を再生中に、前記判別手段により前記電界強度が所定の値以上であると判別された場合、所定の条件が成立したときに、前記再生手段により前記第１のデジタル放送データに対応した映像及び音声を再生させるように切り替え、また、前記再生手段により前記第１のデジタル放送データに対応した映像及び音声を再生中に、前記判別手段により前記電界強度が所定の値未満であると判別された場合、前記所定の条件が成立したときに、前記再生手段により前記第２のデジタル放送データに対応した映像及び音声を再生させるように切り替える再生切替手段と、
を備え、
前記再生切替手段が再生を切り替える前記所定の条件のうち一つは、所定の時間内に前記入力手段によりユーザの操作が受け付けられたことである
ことを特徴とする。
【００１１】
本発明の第２の観点に係るプログラムは、
コンピュータを、
デジタル放送の電波を受信する受信手段、
前記受信手段が受信する前記デジタル放送をデコードし、第１のデジタル放送データを出力する第１のデコード手段、
前記受信手段が受信する前記デジタル放送をデコードし、第２のデジタル放送データを出力する第２のデコード手段、
前記第１のデジタル放送データまたは前記第２のデジタル放送データに対応した映像及び音声を再生する再生手段、
前記受信手段が受信する電波の電界強度が所定の値以上であるか否かを判別する判別手段、
前記判別手段により前記電界強度が所定の値以上であると判別された場合、前記再生手段により前記第１のデジタル放送データに対応した映像及び音声を再生させ、また、前記判別手段により前記電界強度が所定の値未満であると判別された場合、前記再生手段により前記第２のデジタル放送データに対応した映像及び音声を再生させる再生制御手段、
ユーザの操作を受け付ける入力手段、
前記再生手段により前記第２のデジタル放送データに対応した映像及び音声を再生中に、前記判別手段により前記電界強度が所定の値以上であると判別された場合、所定の時間内に前記入力手段によりユーザの操作が受け付けられたときに、前記再生手段により前記第１のデジタル放送データに対応した映像及び音声を再生させるように切り替え、また、前記再生手段により前記第１のデジタル放送データに対応した映像及び音声を再生中に、前記判別手段により前記電界強度が所定の値未満であると判別された場合、前記所定の時間内に前記入力手段によりユーザの操作が受け付けられたときに、前記再生手段により前記第２のデジタル放送データに対応した映像及び音声を再生させるように切り替える再生切替手段、
として機能させることを特徴とする。
【発明の効果】
【００１２】
本発明によれば、出力を固定向けデジタル放送から移動体向けデジタル放送に切り替える際、あるいは、出力を移動体向けデジタル放送から固定向けデジタル放送に切り替える際、ユーザに不自然さを感じさせずに切り替えることができる。
【図面の簡単な説明】
【００１３】
【図１】デジタル放送受信装置の機能ブロック図である。
【図２】電源投入時処理の動作を示すフローチャートである。
【図３】デコーダ切り替え処理を示すフローチャートである。
【図４】実施形態２における固定向けデコーダ出力と移動体向けデコーダ出力間の遅延の関係を示す図である。
【図５】実施形態３のデコーダの機能ブロック図である。
【発明を実施するための形態】
【００１４】
以下、本発明の実施形態について図及びフローチャートを用いて説明する。なお、本発明の実施形態は、下記の実施例に限定されず、本発明の範囲に在る限り、様々な形態を採用しても良い。
【００１５】
（実施形態１）
図１は本発明の実施形態１におけるデジタル放送受信装置１００の機能ブロック図である。デジタル放送受信装置１００は、アンテナ１１０と、チューナ１２０と、固定向けデジタル放送デコーダ１３０と、移動体向けデジタル放送デコーダ１４０と、制御部１５０と、出力部１６０と、キーパッド１７０と、ＬＣＤ（Liquid Crystal Display）１８０と、スピーカ１９０と、から構成される。
【００１６】
アンテナ１１０は、電波を受信し電気信号に変換してチューナ１２０に送信する。
【００１７】
チューナ１２０は、アンテナ１１０から受信した電気信号から、設定されたチャンネル（周波数）で送信されているテレビ放送信号を復調し、誤り検出、及び、誤り訂正を行う。そして、チューナ１２０は、テレビ放送信号をトランスポートストリームとして固定向けデジタル放送デコーダ１３０及び移動体向けデジタル放送デコーダ１４０へ出力する。また、チューナ１２０は、搬送波の電界強度、雑音強度からＣＮ比（Carrier to Noise ratio）を求め、制御部１５０へ出力する。さらに、チューナ１２０は、放送波より番組表データを受信し、制御部１５０へ出力する。
【００１８】
固定向けデジタル放送デコーダ（以下固定向けデコーダとも称する）１３０は、ＤＥＭＵＸ（デマルチプレクサ）１３１と、ＭＰＥＧ（Moving Picture Experts Group）２デコーダ１３２と、ＡＡＣ（Advanced Audio Coding）デコーダ１３３と、から構成される。
【００１９】
固定向けデジタル放送デコーダ１３０は、チューナ１２０から出力されたトランスポートストリームを受信し、ＤＥＭＵＸ１３１で映像ストリームと音声ストリームとを分離する。そして、固定向けデジタル放送デコーダ１３０は、映像ストリームをＭＰＥＧ２デコーダ１３２へ、音声ストリームをＡＡＣデコーダ１３３へ送信する。
【００２０】
ＭＰＥＧ２デコーダ１３２は、受信した映像ストリームをデコードして映像信号を出力する。ＡＡＣデコーダ１３３は、受信した音声ストリームをデコードして音声信号を出力する。デコードされた映像信号及び音声信号は、出力部１６０へ出力される。
【００２１】
固定向けデジタル放送デコーダ１３０は、電源が投入されデコードができる状態である活性状態と、電源が切断されデコードができない状態である非活性状態と、の２つの状態を取ることができる。
【００２２】
移動体向けデジタル放送デコーダ（以下移動体向けデコーダとも称する）１４０は、ＤＥＭＵＸ（デマルチプレクサ）１４１と、Ｈ．２６４デコーダ１４２と、ＨＥ−ＡＡＣ（Advanced Audio Coding）デコーダ１４３と、から構成される。
【００２３】
移動体向けデジタル放送デコーダ１４０は、チューナ１２０から出力されたトランスポートストリームを受信し、ＤＥＭＵＸ１４１で映像ストリームと音声ストリームを分離する。そして、移動体向けデジタル放送デコーダ１４０は、映像ストリームをＨ．２６４デコーダ１４２へ、音声ストリームをＨＥ−ＡＡＣデコーダ１４３へ送信する。
【００２４】
Ｈ．２６４デコーダ１４２は、受信した映像ストリームをデコードして映像信号を出力する。ＨＥ−ＡＡＣデコーダ１４３は、受信した音声ストリームをデコードして音声信号を出力する。デコードされた映像信号及び音声信号は、出力部１６０へ出力される。
【００２５】
また、移動体向けデジタル放送デコーダ１４０は、電源が投入されデコードができる状態である活性状態と、電源が切断されデコードができない状態である非活性状態と、の２つの状態を取ることができる。
【００２６】
制御部１５０は、様々な演算を行い、装置の制御を行うＯＳ（Operating System）を動作させる。ＯＳは、所定の時間の経過を確認するためのタイマー機能も持つ。制御部１５０は、様々なプログラムを実行するＣＰＵ（Central Processing Unit：中央処理装置）１５１と、アプリケーションプログラムを格納するＲＯＭ（Read Only Memory）１５２と、アプリケーションプログラムのワークエリアとして利用されたり、ユーザからの入力を一時格納したりする揮発性記憶領域であるRAM（Random Access Memory）１５３と、装置に加えられる加速度を測定する加速度センサ１５４と、から構成される。
【００２７】
ＲＯＭ１５２には、キーパッド１７０の入力制御プログラムが格納される。ユーザからの入力を受け付けることができるように、ＣＰＵ１５１は、この入力制御プログラムを常時実行する。
【００２８】
制御部１５０は、この入力制御プログラムに基づき、ユーザによりキーパッド１７０から入力された入力情報に従って、受信を希望するチャンネル（すなわち受信する電波の周波数）をチューナ１２０に通知したり、再生時の音量を出力部１６０へ通知したりする等の各種設定を行う。また、制御部１５０は、チューナ１２０から受信電波の状況を示す値であるＣＮ比を取得し、固定向けデコーダ１３０及び移動体向けデコーダ１４０の制御を行う。さらに、制御部１５０は、ユーザのキーパッド１７０の操作に応じて、音量や受信チャンネルなど、各種設定状況を示す画像信号、及び、番組表画像信号を生成し、出力部１６０に出力する。
【００２９】
出力部１６０は、固定向けデコーダ１３０及び移動体向けデコーダ１４０から出力された映像信号をＬＣＤ１８０へ出力する。その際、制御部１５０から各種設定状況を示す画像信号、及び、番組表画像信号も出力されていれば、出力部１６０は、それらを合成してＬＣＤ１８０へ出力する。また、出力部１６０は、固定向けデコーダ１３０及び移動体向けデコーダ１４０から出力された音声信号をスピーカ１９０へ出力する。さらに、出力部１６０は、制御部１５０から通知された再生時の音量をスピーカ１９０に設定する。
【００３０】
キーパッド１７０は、電源キー、チャンネルを示すキー、音量キー、番組表表示／非表示キーなどから構成される。ユーザはこれらを用いて、電源ＯＮ／ＯＦＦ、視聴するＴＶチャンネル設定、音量設定、番組表表示／非表示を行う。
【００３１】
ＬＣＤ（Liquid Crystal Display）１８０は、映像の表示装置であり、出力部１６０から映像信号を受け取り、映像信号に対応した映像を表示する。
【００３２】
スピーカ１９０は、出力部１６０から音声信号を受け取り、音声信号に対応した音声を出力する。
【００３３】
固定向けデジタル放送番組のエンコード及びデコードにかかる時間と、移動体向けデジタル放送番組のエンコード及びデコードにかかる時間は必ずしも一致しない。そのため、固定向けデコーダ１３０の出力と移動体向けデコーダ１４０の出力とが同じ内容の番組であっても、時間的なズレが生じることがある。よって、出力を固定向けデコーダ１３０の出力と移動体向けデコーダ１４０の出力との間で遅延を入れる等の時間補正をせずに切り替えると番組の内容に飛び、戻りが生じ、視聴者に不自然さを感じさせてしまうおそれがある。本実施形態１では、出力の時間補正をせずにこの不自然さを低減させることを目的としている。
【００３４】
次に、本実施形態１の動作について図２、及び、図３のフローチャートを用いて説明する。デジタル放送受信装置１００に電源投入されると、制御部１５０は、図２に示す電源投入時処理を実行する。電源投入時処理では、制御部１５０は、先ず、チューナ１２０から電波状況を示す値としてＣＮ比を取得し（ステップＳ２０１）、それが所定の値以上であるか否かを判別する（ステップＳ２０２）。
【００３５】
この所定の値は、これを下回ると固定向けデジタル放送が安定してデコードできなくなる値である。この実施形態では、２０ｄＢとするが、必要に応じて修正したり、ユーザが指定できるようにしても良い。
【００３６】
電波状況を示す値が所定の値以上であるとき（ステップＳ２０２；Ｙｅｓ）、制御部１５０は、固定向けデコーダ１３０が非活性状態であったらそれを活性状態に活性化し、デフォルトのチャンネルあるいは、ユーザが設定したチャンネルの放送のトランスポートストリームをチューナ１２０から固定向けデコーダ１３０に入力してデコードを行わせる（ステップＳ２０３）。その後、制御部１５０は、移動体向けデコーダ１４０が活性状態であったらそれを非活性化する（ステップＳ２０４）。そして、制御部１５０は、固定向けデコーダ１３０の出力を出力部１６０へ入力させて映像及び音声を再生させる（ステップＳ２０５）。
【００３７】
一方、電波状況を示す値が所定の値未満であるとき（ステップＳ２０２；Ｎｏ）、制御部１５０は、移動体向けデコーダ１４０が非活性状態であったらそれを活性状態に活性化し、デフォルトのチャンネルあるいは、ユーザが設定したチャンネルの放送のトランスポートストリームをチューナ１２０から移動体向けデコーダ１４０に入力してデコードを行わせる（ステップＳ２０６）。その後、制御部１５０は、固定向けデコーダ１３０が活性状態であったらそれを非活性化する（ステップＳ２０７）。そして、制御部１５０は、移動体向けデコーダ１４０の出力を出力部１６０へ入力させて映像及び音声を再生させる（ステップＳ２０５）。
【００３８】
ステップＳ２０５にて、最初にデコーダから出力された映像及び音声を再生させた後、制御部１５０は、デコーダ切り替え処理（ステップＳ２０８）を行い、再びデコーダ出力を行う（ステップＳ２０５）。
【００３９】
図３は、図２におけるステップＳ２０８のデコーダ切り替え処理の動作を示すフローチャートである。デコーダ切り替え処理では、制御部１５０は、先ず、固定向けデコーダ１３０が活性状態であるか否かを判別する（ステップＳ３０１）。固定向けデコーダ１３０が活性状態であるとき（ステップＳ３０１；Ｙｅｓ）、制御部１５０は、チューナ１２０から電波状況を示す値としてＣＮ比を取得し（ステップＳ３０２）、それが所定の値以上であるか否かを判別する（ステップＳ３０３）。この所定の値は、この実施形態では２０ｄＢとするが、必要に応じて修正したり、ユーザが指定できるようにしても良い。
【００４０】
電波状況を示す値が所定の値以上であるとき（ステップＳ３０３；Ｙｅｓ）、ステップＳ３０２の処理に戻り、制御部１５０は、再び電波状況を監視する。電波状況を示す値が所定の値未満であるとき（ステップＳ３０３；Ｎｏ）、制御部１５０は、移動体向けデコーダ１４０を活性状態に活性化し（ステップＳ３０４）、所定の時間が経過したかどうかを判別するためのタイマーをスタートさせる（ステップＳ３０５）。
【００４１】
この所定の時間は、この実施形態では６０秒とするが、再生中の番組の内容やジャンルによって変化させても良いし、ユーザが任意に設定できるようにしても良い。例えば、音楽番組を再生中であり、デコーダ切り替えによる音飛びなどを発生させたくないような場合、その番組の終了までの時間を設定するようにしても良い。
【００４２】
ステップＳ３０５でタイマーをスタートさせた後は、制御部１５０は、設定した所定の時間が経過するか（ステップＳ３０６；Ｙｅｓ）、固定向けデコーダ１３０でのデコードができなくなるか（ステップＳ３０７；Ｎｏ）、ステップＳ３０４において移動体向けデコーダ１４０の活性化後の切り替え実施条件が成立するまで（ステップＳ３０８；Ｙｅｓ）、待機する。
【００４３】
ステップＳ３０８における切り替え実施条件の成立とは、ユーザがキーパッド１７０によりＴＶチャンネルの設定、音量設定、その他各種設定、番組表表示などの操作をした場合、視聴している番組の情報に特定の情報がある場合（例えば、番組のジャンルが、スポーツ、紀行など多少の飛び、戻りはあまり大きな問題ではないジャンルである場合）、加速度センサ１５４が一定以上の加速度を検出した場合、現時刻が次の新たな番組が始まる時間の一定時間以内（例えば１８０秒以内）である場合（チューナが受信する番組表データに基づいて判別する）、のいずれかが成立することをいう。視聴している番組の情報に特定の情報がある場合については、ユーザが任意のジャンルなどを指定可能にしてもよい。また、現時刻が次の番組が始まる時間の一定時間以内についても、ユーザが任意の時間を設定可能にしてもよい。
【００４４】
上記のいずれかの条件が成立した場合（ステップＳ３０６、Ｓ３０８；Ｙｅｓ、またはステップＳ３０７；Ｎｏ）、制御部１５０は、タイマーをストップさせる（ステップＳ３０９）。そして、制御部１５０は、映像信号及び音声信号を出力させるデコーダを、固定向けデコーダ１３０から移動体向けデコーダ１４０に切り替え（ステップＳ３１０）、固定向けデコーダ１３０を非活性状態に非活性化し（ステップＳ３１１）、デコーダ切り替え処理を終了する。
【００４５】
ステップＳ３０１にて、固定向けデコーダ１３０が活性状態ではないとき（ステップＳ３０１；Ｎｏ）、すなわち、移動体向けデコーダ１４０が活性状態のとき、制御部１５０は、チューナ１２０から電波状況を示す値としてＣＮ比を取得し（ステップＳ３１２）、それが所定の値以上であるか否かを判別する（ステップＳ３１３）。この所定の値は、この実施形態では２０ｄＢとするが、必要に応じて修正したり、ユーザが指定できるようにしても良い。
【００４６】
電波状況を示す値が所定の値未満のとき（ステップＳ３１３；Ｎｏ）、ステップＳ３１２の処理に戻り、制御部１５０は、再び電波状況を監視する。前記電波状況を示す値が所定の値以上のとき（ステップＳ３０３；Ｙｅｓ）、固定向けデコーダ１３０を活性状態に活性化し（ステップＳ３１４）、所定の時間が経過したかどうかを判別するためのタイマーをスタートさせる（ステップＳ３１５）。
【００４７】
この所定の時間は、この実施形態では６０秒とするが、再生中の番組の内容やジャンルによって変化させても良いし、ユーザが任意に設定できるようにしても良い。例えば、音楽番組を再生中であり、デコーダ切り替えによる音飛びなどを発生させたくないような場合、その番組の終了までの時間を設定するようにしても良い。
【００４８】
ステップＳ３１５でタイマーをスタートさせた後は、制御部１５０は、設定した所定の時間が経過するか（ステップＳ３１６；Ｙｅｓ）、ステップＳ３１４において固定向けデコーダ１３０活性化後の切り替え実施条件が成立するまで（ステップＳ３１７；Ｙｅｓ）、待機する。
【００４９】
上記のいずれかの条件が成立した場合（ステップＳ３１６、Ｓ３１７；Ｙｅｓ）、制御部１５０は、タイマーをストップさせる（ステップＳ３１８）。そして、制御部１５０は、映像信号及び音声信号を出力させるデコーダを、移動体向けデコーダ１４０から固定向けデコーダ１３０に切り替え（ステップＳ３１９）、移動体向けデコーダ１４０を非活性状態に非活性化し（ステップＳ３２０）、デコーダ切り替え処理を終了する。
【００５０】
その他の動作については、例えば、ユーザがキーパッド１７０を操作して、視聴する放送のチャンネルを変更する操作をした場合、制御部１５０は、チューナ１２０にそのチャンネルを設定し、そのトランスポートストリームを出力させる。ユーザが音量を変更する操作をした場合、制御部１５０は、その音量を出力部１６０に通知し、スピーカ１９０に設定させ、スピーカ１９０にその音量で音声を再生させる。ユーザが番組表を表示させる操作をした場合、制御部１５０は、チューナ１２０より転送された番組表データから、番組表の画像を生成して、出力部１６０に転送して表示させる。
【００５１】
なお、固定向けデコーダ１３０、及び、移動体向けデコーダ１４０の非活性状態とは、最低限の機能にのみ電力を供給するスリープモードなどの状態であっても良い。
【００５２】
本実施形態１では、ユーザがＴＶチャンネルの設定、音量設定、その他各種設定、番組表表示をした場合、視聴している番組の情報に特定の情報がある場合、加速度センサ１５４が一定以上の加速度を検出した場合、現時刻が次の番組が始まる時間の一定時間以内である場合、をユーザの注意が放送内容から逸れたときであると判別して、切り替え実施条件としている。これらの切り替え実施条件が成立したときにデコーダの切り替えを行うので、ユーザの注意が放送内容から逸れたときにデコーダの切り替えを行うことができ、デコーダ切り替えに伴う番組内容の飛び、戻りの不自然さを低減させることができる。
【００５３】
（実施形態２）
本発明の実施形態２は、実施形態１をベースにしているが、使用するデコーダを切り替えるときに、固定向けデコーダ１３０の出力と、移動体向けデコーダ１４０の出力と、の間の時間的なズレを補正することが実施形態１と異なる。
【００５４】
実施形態２では、制御部１５０は、デコーダを活性状態に活性化する際、入力したトランスポートストリームがデコードされて出力されるまでの時間を測定し記憶しておく。ここでは、切り替え元のデコード処理にかかる時間をｄＡ、切り替え先のデコード処理にかかる時間をｄＢとする。
【００５５】
また、制御部１５０は、番組データのタイムスタンプ情報も取得する。切り替え元の番組データのタイムスタンプをｔＡ、切り替え先の番組データのタイムスタンプをｔＢとする。
【００５６】
また、切り替え元の番組データのエンコード時間をｅＡ、切り替え先のエンコード時間をｅＢとする。切り替え元と切り替え先のエンコード処理に掛かる時間の差分、デコード処理に掛かる時間の差分をそれぞれΔｅＢＡ、ΔｄＢＡとする。
【００５７】
これらの関係を図４に示す。図４に示したとおり、切り替え先のデコーダから出力されたデータの、切り替え元のデコーダから出力されたデータに対する遅延Ｄは、Ｄ＝ΔｅＢＡ＋ΔｄＢＡ＝（ｔＡ−ｔＢ）＋（ｄＢ−ｄＡ）となる。
【００５８】
制御部１５０は、Ｄが正の値のとき、すなわち、切り替え先の出力が遅延しているとき、デコーダの切り替えは実施形態１と同様に実行する。
【００５９】
Ｄが負の値のとき、すなわち、切り替え元の出力が遅延しているとき、制御部１５０は、デコーダ出力を切り替えるときに、切り替え先のデコーダ出力を時間−Ｄの分だけＲＡＭ１５３にバッファリングしつつ出力することにより、切り替え先の出力を時間−Ｄの分だけ遅延させる（すなわち、時間−Ｄの分だけタイムシフト再生させる）。このように切り替え先の出力を−Ｄだけタイムシフト再生させる準備ができたら、制御部１５０は、映像信号及び音声信号を出力させるデコーダを、切り替え先のデコーダに切り替える。その後、実施形態１における切り替え実施条件が成立した場合には、タイムシフト再生を止め通常再生（リアルタイムの再生）にする。
【００６０】
本実施形態２によれば、切り替え元の出力が遅延しているときは、タイムシフト再生を行うことで、出力の切り替え時、放送内容の時間的同期を取ることができるので、スムーズな切り替えができる。また、放送内容の時間的同期のために行うタイムシフト再生を、ユーザの注意が放送内容から逸れたときに止めて通常再生に戻すので、その際に生じる番組内容の飛びの不自然さを低減させることができる。これにより、放送内容の時間的同期のために行うタイムシフト再生に使用するＲＡＭ１５３の占有を、最低限度に抑えることができる。
【００６１】
（実施形態３）
実施形態３は、実施形態１をベースにしているが、図５に示すように、固定向けデコーダ１３０と移動体向けデコーダ１４０とがそれぞれ自身の温度を測定するための温度測定部１３４、１４４を備える。そして、温度測定部１３４、１４４が測定した温度を制御部１５０に通知する。そして、制御部１５０は、通知されたそれぞれのデコーダの温度によって制御を行うことができることが実施形態１と異なる。
【００６２】
固定向けデコーダ１３０は、温度測定部１３４により常に自身の温度を測定し、その結果を制御部１５０に通知する。制御部１５０は、固定向けデコーダ１３０が活性状態でありデコードを行っているとき、その温度が所定の値以上になった場合、映像信号及び音声信号を出力させるデコーダを移動体向けデコーダ１４０に切り替える。この固定向けデコーダ１３０から移動体向けデコーダ１４０に切り替える際の所定の温度の値は、この実施形態では摂氏５０度とするが、必要に応じ変更したり、ユーザが変更できるようにしても良い。デコーダ切り替え処理は、電波状況を示す値が所定の値以上であっても、所定の値未満とみなして、図３に示す処理と同様の処理により移動体向けデコーダ１４０に切り替える処理を行う。その後、固定向けデコーダ１３０の温度が所定の値未満になった場合、図３に示すデコーダ切り替え処理を行うようにする。
【００６３】
本実施形態３により、固定向けデコーダ１３０がデコードしているときに過度に発熱した場合、移動体向けデコーダ１４０によるデコードに切り替えることができ、固定向けデコーダ１３０を、非活性状態として冷却することができる。
【００６４】
同様に、移動体向けデコーダ１４０は、温度測定部１４４により常に自身の温度を測定し、その結果を制御部１５０に通知し、制御部１５０は通知された温度などに応じて映像信号及び音声信号を出力させるデコーダを固定向けデコーダ１３０に切り替える処理を行う。
【００６５】
なお、この発明は上記実施形態に限定されず、種々の変形及び応用が可能である。例えば、上記各実施形態では、制御部１５０が実行するアプリケーションプログラムは、予めＲＯＭ１５２に格納されているものとして説明した。このアプリケーションプログラムは、外部記憶媒体や通信網を介して記憶部に格納されるものであってもよい。
【符号の説明】
【００６６】
１００…デジタル放送受信装置、１１０…アンテナ、１２０…チューナ、１３０…固定向けデジタル放送デコーダ、１３１…ＤＥＭＵＸ、１３２…ＭＰＥＧ２デコーダ、１３３…ＡＡＣデコーダ、１３４…温度測定部、１４０…移動体向けデジタル放送デコーダ、１４１…ＤＥＭＵＸ、１４２…Ｈ．２６４デコーダ、１４３…ＨＥ−ＡＡＣデコーダ、１４４…温度測定部、１５０…制御部、１５１…ＣＰＵ、１５２…ＲＯＭ、１５３…ＲＡＭ、１５４…加速度センサ、１６０…出力部、１７０…キーパッド、１８０…ＬＣＤ、１９０…スピーカ
【図１】
2010206431.tif 000003
【図２】
2010206431.tif 000004
【図３】
2010206431.tif 000005
【図４】
2010206431.tif 000006
【図５】
2010206431.tif 000007